(57)【要約】【課題】  より綿密に正確な報知ディスプレイの監視を、多くの労力を必要とすることなく実施することのできるコンピュータ関連機器監視システムを提供すること。【解決手段】  状況を報知するための報知ＬＥＤを備えるサーバコンピュータを監視するコンピュータ関連機器監視システム１であって、報知ＬＥＤを含む画像を撮像する子機２２０と、子機２２０の撮像画像中における報知ＬＥＤを含む監視領域と、監視領域に含まれる報知ＬＥＤの点灯態様を異常と判定するための監視パターンとを設定するための管理コンピュータ７と、子機２２０の撮像画像中の監視領域に含まれる報知ＬＥＤの点灯態様が設定された監視パターンを満たすか否かを画像認識により判定する監視ユニット２（親機２１０）と、報知ＬＥＤの点灯態様が監視パターンを満たすと判定されたときに、その旨を報知するランプユニット５と、を備える。【選択図】  図１２
2005242915.tif 000002
【特許請求の範囲】
【請求項１】
サーバコンピュータ或いはサーバコンピュータの周辺機器を少なくとも含むコンピュータ関連機器の状況を表示態様により報知するための報知ディスプレイを備えるコンピュータ関連機器を監視するためのコンピュータ関連機器監視システムであって、
前記コンピュータ関連機器に設けられた報知ディスプレイを含む画像を撮像するための撮像手段と、
該撮像手段により撮像された画像中において、監視を行う前記報知ディスプレイを含む監視領域の指定を受付けるとともに、該受付けた監視領域に含まれる報知ディスプレイの表示態様を異常と判定するための異常判定条件を設定するための異常判定条件設定手段と、
該異常判定条件設定手段にて設定された異常判定条件を、前記撮像手段により撮像された画像中の前記監視領域に含まれる報知ディスプレイの表示態様が満たすか否かを画像認識により判定する画像認識判定手段と、
該判定手段により前記報知ディスプレイの表示態様が前記異常判定条件を満たすと判定されたときに、当該異常判定条件を満たすと判定されたことを報知する報知手段と、
を備えることを特徴とするコンピュータ関連機器監視システム。
【請求項２】
前記撮像手段により撮像された画像中に含まれる前記報知ディスプレイを含む監視領域が複数であって、
前記画像認識判定手段は、各報知ディスプレイを含む各監視領域毎に前記異常判定条件に基づく判定を実施することを特徴とする請求項１に記載のコンピュータ関連機器監視システム。
【請求項３】
前記異常判定条件設定手段は、前記各監視領域毎に異なる異常判定条件を設定可能とされていることを特徴とする請求項２に記載のコンピュータ関連機器監視システム。
【請求項４】
前記異常判定条件設定手段において設定可能な複数の異常判定条件を記憶するための異常判定条件記憶手段を備え、
前記異常判定条件設定手段においては、該異常判定条件記憶手段において記憶されている複数の異常判定条件の中から選択して異常判定条件を設定可能とされていることを特徴とする請求項１〜３のいずれかに記載のコンピュータ関連機器監視システム。
【請求項５】
前記判定手段により前記報知ディスプレイの表示態様が前記異常判定条件を満たすと判定されたときの画像を記憶するための異常判定時画像記憶手段と、
該異常判定時画像記憶手段に記憶されている画像を出力するための出力手段を備えることを特徴とする請求項１〜４のいずれかに記載のコンピュータ関連機器監視システム。
【請求項６】
前記撮像手段を、前記コンピュータ関連機器を収納するラックの前面を覆う開閉扉の内方位置に設けたことを特徴とする請求項１〜５のいずれかに記載のコンピュータ関連機器監視システム。
【請求項７】
監視対象となるサーバコンピュータの近傍に設けられた監視ユニットと、
複数の当該監視ユニットにデータ通信可能に接続され、該監視ユニットを管理する管理コンピュータと、
から成り、
前記監視ユニットは、前記撮像手段と、前記画像認識判定手段と、該画像認識判定手段において前記異常判定条件を満たすと判定されたときに、当該判定結果と当該監視ユニットに固有に付与された識別情報とを含む異常通知を前記管理コンピュータに送信する異常通知送信手段と、を備え、
前記管理コンピュータは、前記異常通知送信手段からの異常通知の受信に基づいて、異常が発生した旨と当該異常と判定した監視ユニットの識別情報を出力することを特徴とする請求項１〜６のいずれかに記載のコンピュータ関連機器監視システム。
【請求項８】
前記監視ユニットは、前記撮像手段にて撮像された画像を表示可能とされるとともに、該画像上において、少なくとも前記監視領域の指定が可能とされ、操作者が可搬可能とされた設定端末を接続するための設定端末接続手段を備えることを特徴とする請求項７に記載のコンピュータ関連機器監視システム。
【請求項９】
前記監視ユニットは、前記コンピュータ関連機器を収納するラックに該監視ユニットを着脱自在とするための装着手段を備えることを特徴とする請求項７または８に記載のコンピュータ関連機器監視システム。
【請求項１０】
前記監視ユニットは、前記画像認識判定手段並びに異常通知送信手段とを備える親機と、当該親機に接続され、前記撮像手段を備える複数の子機とから構成されていることを特徴とする請求項７〜９のいずれかに記載のコンピュータ関連機器監視システム。
【請求項１１】
前記親機に接続される子機数が増減可能とされていることを特徴とする請求項１０に記載のコンピュータ関連機器監視システム。
【請求項１２】
前記監視ユニットは、前記子機の配置位置を調節するための調節手段を備えることを特徴とする請求項１０または１１に記載のコンピュータ関連機器監視システム。
【請求項１３】
前記コンピュータ関連機器を収納するラック単位毎に前記報知手段を設け、
該報知手段は、当該報知手段が対応するラック中に収納される前記コンピュータ関連機器に設けられた報知ディスプレイの表示態様が前記異常判定条件を満たすと判定されたときに報知することを特徴とする請求項１〜１２のいずれかに記載のコンピュータ関連機器監視システム。
【請求項１４】
前記撮像手段に対応付けて前記報知手段を設け、
該報知手段は、対応する撮像手段による画像中の前記監視領域において、前記異常判定条件を満たすと判定されたときに報知することを特徴とする請求項１〜１３のいずれかに記載のコンピュータ関連機器監視システム。
【発明の詳細な説明】
【技術分野】
【０００１】
本発明は、サーバコンピュータ或いはサーバコンピュータの周辺機器を少なくとも含むコンピュータ関連機器の状況を表示態様により報知するための報知ディスプレイを備えるコンピュータ関連機器を監視するためのコンピュータ関連機器監視システムに関する。
【背景技術】
【０００２】
従来、例えば、多数のサーバコンピュータ或いはサーバコンピュータの周辺機器を少なくとも含むコンピュータ関連機器が設置されるデータセンタ（ＩＤＣ）においては、コンピュータ関連機器の前面等に設けられている当該コンピュータ関連機器の処理状況や稼働状況等を示す報知ＬＥＤや報知ＬＣＤ等の報知ディスプレイが、異常な状態となっていないかを、人的に定期的に監視するサービスが提供されている。
【発明の開示】
【発明が解決しようとする課題】
【０００３】
これらの監視サービスは、コンピュータ関連機器の異常をいち早く検知して対応するために有効となるサービスであるが、これらの報知ディスプレイの表示態様を人的に定期的に監視する場合には、コンピュータ関連機器には多数の報知ディスプレイが設けられており、どの報知ディスプレイを監視対象とするのかが判り難いとともに、当該監視対象の報知ディスプレイがどのような表示態様となっている場合に異常なのかを、例えばチェックシートに照らし合わせてチェックする必要があり、これらのチェックが煩雑であるばかりか、異常なのか異常でないのかの判定を間違え易いとともに、有る程度の時間に亘り報知ディスプレイがどのような表示態様となっているかを観察する必要があるため、多くの報知ディスプレイを監視する場合には、これらのチェックに多くの時間を必要とするため、定期的にしかチェックを実施し難いという問題があり、より綿密に正確な報知ディスプレイの監視を、多くの労力を必要とすることなく実施することのできるシステムが切望されていた。
【０００４】
本発明は、このような問題点に着目してなされたもので、より綿密に正確な報知ディスプレイの監視を、多くの労力を必要とすることなく実施することのできるコンピュータ関連機器監視システムを提供することを目的としている。
【課題を解決するための手段】
【０００５】
上記課題を解決するために、本発明の請求項１に記載のコンピュータ関連機器監視システムは、
サーバコンピュータ或いはサーバコンピュータの周辺機器を少なくとも含むコンピュータ関連機器の状況を表示態様により報知するための報知ディスプレイを備えるコンピュータ関連機器を監視するためのコンピュータ関連機器監視システムであって、
前記コンピュータ関連機器に設けられた報知ディスプレイを含む画像を撮像するための撮像手段と、
該撮像手段により撮像された画像中において、監視を行う前記報知ディスプレイを含む監視領域の指定を受付けるとともに、該受付けた監視領域に含まれる報知ディスプレイの表示態様を異常と判定するための異常判定条件を設定するための異常判定条件設定手段と、
該異常判定条件設定手段にて設定された異常判定条件を、前記撮像手段により撮像された画像中の前記監視領域に含まれる報知ディスプレイの表示態様が満たすか否かを画像認識により判定する画像認識判定手段と、
該判定手段により前記報知ディスプレイの表示態様が前記異常判定条件を満たすと判定されたときに、当該異常判定条件を満たすと判定されたことを報知する報知手段と、
を備えることを特徴としている。
この特徴によれば、監視しようとする報知ディスプレイが前記撮像手段による画像中に含まれるように該撮像手段を配置し、当該画像中において監視しようとする報知ディスプレイを含む領域を監視領域に指定するとともに、当該監視領域に含まれる報知ディスプレイの異常判定条件を設定することで、当該報知ディスプレイの点灯態様が前記異常判定条件を満たすか否かが前記画像認識判定手段にて常時監視され、その判定結果が異常判定条件を満たすと判定されたときに、該異常判定条件を満たすと判定されたこと、つまりは異常が発生したことが前記報知手段により報知されるようになるため、常時監視されることでより綿密に、しかも監視対象の報知ディスプレイを含む監視領域と異常判定条件とを一度設定することで、当該設定内容に基づいた判定が実施されるようになり、正確な報知ディスプレイの監視を、多くの労力を必要とすることなく実施することができる。
【０００６】
本発明の請求項２に記載のコンピュータ関連機器監視システムは、請求項１に記載のコンピュータ関連機器監視システムであって、
前記撮像手段により撮像された画像中に含まれる前記報知ディスプレイを含む監視領域が複数であって、
前記画像認識判定手段は、各報知ディスプレイを含む各監視領域毎に前記異常判定条件に基づく判定を実施することを特徴としている。
この特徴によれば、１つの撮像手段による画像中に複数の監視領域が設定可能となることで、撮像手段の数や設置スペースを大幅に省くことができ、システムをより低廉化できるばかりか、撮像手段を設置するための労力を低減できる。
【０００７】
本発明の請求項３に記載のコンピュータ関連機器監視システムは、請求項１または２に記載のコンピュータ関連機器監視システムであって、
前記異常判定条件設定手段は、前記各監視領域毎に異なる異常判定条件を設定可能とされていることを特徴としている。
この特徴によれば、個々の監視領域毎に異なる異常判定条件が設定可能とされていることで、これら異常判定条件毎に異なる撮像手段を設ける必要がなく、さらに撮像手段の数や設置スペースを省くことができ、システムをより低廉化できるばかりか、撮像手段を設置するための労力をさらに低減できる。
【０００８】
本発明の請求項４に記載のコンピュータ関連機器監視システムは、請求項１〜３のいずれかに記載のコンピュータ関連機器監視システムであって、
前記異常判定条件設定手段において設定可能な複数の異常判定条件を記憶するための異常判定条件記憶手段を備え、
前記異常判定条件設定手段においては、該異常判定条件記憶手段において記憶されている複数の異常判定条件の中から選択して異常判定条件を設定可能とされていることを特徴としている。
この特徴によれば、異常判定条件の設定を簡便に実施することができる。
【０００９】
本発明の請求項５に記載のコンピュータ関連機器監視システムは、請求項１〜４のいずれかに記載のコンピュータ関連機器監視システムであって、
前記判定手段により前記報知ディスプレイの表示態様が前記異常判定条件を満たすと判定されたときの画像を記憶するための異常判定時画像記憶手段と、
該異常判定時画像記憶手段に記憶されている画像を出力するための出力手段を備えることを特徴としている。
この特徴によれば、報知ディスプレイの表示態様が前記異常判定条件を満たすと判定されたときの画像を、前記報知手段による報知後において確認することができ、どのような異常が生じたのかを判断するための判断材料に当該画像を資することができる。
【００１０】
本発明の請求項６に記載のコンピュータ関連機器監視システムは、請求項１〜５のいずれかに記載のコンピュータ関連機器監視システムであって、
前記撮像手段を、前記コンピュータ関連機器を収納するラックの前面を覆う開閉扉の内方位置に設けたことを特徴としている。
この特徴によれば、撮像手段が開閉扉の内方に収容されるようになるため、これら撮像手段に人等が誤って触れることにより、その配置位置にズレが生じる等の危険性を大幅に低減できる。
【００１１】
本発明の請求項７に記載のコンピュータ関連機器監視システムは、請求項１〜６のいずれかに記載のコンピュータ関連機器監視システムであって、
監視対象となるサーバコンピュータの近傍に設けられた監視ユニットと、
複数の当該監視ユニットにデータ通信可能に接続され、該監視ユニットを管理する管理コンピュータと、
から成り、
前記監視ユニットは、前記撮像手段と、前記画像認識判定手段と、該画像認識判定手段において前記異常判定条件を満たすと判定されたときに、当該判定結果と当該監視ユニットに固有に付与された識別情報とを含む異常通知を前記管理コンピュータに送信する異常通知送信手段と、を備え、
前記管理コンピュータは、前記異常通知送信手段からの異常通知の受信に基づいて、異常が発生した旨と当該異常と判定した監視ユニットの識別情報を出力することを特徴としている。
この特徴によれば、多数のコンピュータ関連機器に設けられた報知ディスプレイを監視する場合において、各監視ユニット側に画像認識判定手段を備えることで、これら画像認識判定に必要となる画像認識処理に要する負荷を分散することができ、より多くのコンピュータ関連機器に設けられた報知ディスプレイの監視が可能となるとともに、どの監視ユニットが異常判定条件を満たすと判定したかを管理コンピュータ側にて把握できるようになり、異常に対して迅速に対応できるようになる。
【００１２】
本発明の請求項８に記載のコンピュータ関連機器監視システムは、請求項７に記載のコンピュータ関連機器監視システムであって、
前記監視ユニットは、前記撮像手段にて撮像された画像を表示可能とされるとともに、該画像上において、少なくとも前記監視領域の指定が可能とされ、操作者が可搬可能とされた設定端末を接続するための設定端末接続手段を備えることを特徴としている。
この特徴によれば、撮像手段を設置する際に、設定端末を設定端末接続手段にて監視ユニットに接続することで、該撮像手段を設置している場所において撮像手段により撮像された画像中に、監視対象となる報知ディスプレイが含まれるか否かを簡便に確認しながら撮像手段を配置でき、便利であるとともに、実際の報知ディスプレイと、画像中の当該報知ディスプレイとを見比べながら監視領域や異常判定条件を設定できることから、これら監視領域や異常判定条件の設定操作を、確実かつ簡便に実施できる。
【００１３】
本発明の請求項９に記載のコンピュータ関連機器監視システムは、請求項７または８に記載のコンピュータ関連機器監視システムであって、
前記監視ユニットは、前記コンピュータ関連機器を収納するラックに該監視ユニットを着脱自在とするための装着手段を備えることを特徴としている。
この特徴によれば、ラックに収納されているコンピュータ関連機器の数等により、監視ユニットを適宜に増減できるとともに、監視対象となる報知ディスプレイを備えるコンピュータ関連機器が収納されている位置に応じて、監視ユニットを適宜に配置できるようになるため、監視ユニットの数を最小限に留めることができ、システムコストをより安価なものに抑えることができる。
【００１４】
本発明の請求項１０に記載のコンピュータ関連機器監視システムは、請求項７〜９のいずれかに記載のコンピュータ関連機器監視システムであって、
前記監視ユニットは、前記画像認識判定手段並びに異常通知送信手段とを備える親機と、当該親機に接続され、前記撮像手段を備える複数の子機とから構成されていることを特徴としている。
この特徴によれば、前記撮像手段となる複数の子機に対して前記画像認識判定手段並びに異常通知送信手段とを備える親機を設けることで、画像認識判定手段を備える親機の数を低減でき、よって、システムコストをより安価なものに抑えることができる。
【００１５】
本発明の請求項１１に記載のコンピュータ関連機器監視システムは、請求項１０に記載のコンピュータ関連機器監視システムであって、
前記親機に接続される子機数が増減可能とされていることを特徴としている。
この特徴によれば、親機に接続される子機の数を、必要に応じて増減でき、必要最小限に子機の数を抑えることができ、よって、システムコストをより安価なものに抑えることができる。
【００１６】
本発明の請求項１２に記載のコンピュータ関連機器監視システムは、請求項１０または１１に記載のコンピュータ関連機器監視システムであって、
前記監視ユニットは、前記子機の配置位置を調節するための調節手段を備えることを特徴としている。
この特徴によれば、調節手段を備えることで、子機の配置位置の調節が可能となり、該子機に設けられた撮像手段により撮像される画像の範囲の調節を、容易に実施できるようになる。
【００１７】
本発明の請求項１３に記載のコンピュータ関連機器監視システムは、請求項１〜１２のいずれかに記載のコンピュータ関連機器監視システムであって、
前記コンピュータ関連機器を収納するラック単位毎に前記報知手段を設け、
該報知手段は、当該報知手段が対応するラック中に収納される前記コンピュータ関連機器に設けられた報知ディスプレイの表示態様が前記異常判定条件を満たすと判定されたときに報知することを特徴としている。
この特徴によれば、複数のラックが設けられていても、異常と判断されたコンピュータ関連機器を収容しているラックを簡便に特定することができる。
【００１８】
本発明の請求項１４に記載のコンピュータ関連機器監視システムは、請求項１〜１３のいずれかに記載のコンピュータ関連機器監視システムであって、
前記撮像手段に対応付けて前記報知手段を設け、
該報知手段は、対応する撮像手段による画像中の前記監視領域において、前記異常判定条件を満たすと判定されたときに報知することを特徴としている。
この特徴によれば、複数の撮像手段が近接して設けられていても、どの撮像手段が撮像している報知ディスプレイが異常判定条件を満たすと判定されたかを簡便に特定することができる。
【発明を実施するための最良の形態】
【００１９】
本発明の実施例を以下に説明する。
【実施例】
【００２０】
図1は、本発明をデータセンタに適用した本実施例のコンピュータ関連機器監視システムの構成を示す図である。
【００２１】
本実施例のコンピュータ関連機器監視システムは、図１に示すように、主に、データセンタ内に多数設置されたサーバラック（以下、ラックと略称する）１に収納された本発明におけるコンピュータ関連機器としてのサーバコンピュータの報知ディスプレイとしての報知ＬＥＤの監視を行うためのユニット構成とされた多数の監視ユニット２と、これら各ラック１に設置された監視ユニット２とデータ通信可能に接続され、これらデータセンタ内に設置されている多数の監視ユニット２におけるエラーや設定内容等の管理を行うとともに、外部への監視結果の送信を行う管理コンピュータ７とから構成されている。
【００２２】
また、各ラック１には、図５に示すように、前記監視ユニット２と管理コンピュータ７とをデータ通信可能に接続するとともに、当該ラック１に対応して設けられている報知手段としてのランプユニット５や、前記監視ユニット２における監視領域や異常判定条件を設定するための可搬可能とされたノートパソコン７’を接続可能とされたハブ４が設置されていて、接続されている各機器間のデータ通信を可能とするローカルエリアネットワーク（ＬＡＮ）６が形成されている。
【００２３】
本実施例に用いた監視ユニット２は、図３並びに図５に示すように、ラック１内に収納されたサーバコンピュータに設けられている報知ＬＥＤを含む領域の画像を撮像するための撮像手段となるカメラ２２１と、当該カメラ２２１による画像中に含まれる報知ＬＥＤの画像から、当該報知ＬＥＤが異常と判定されたことを点灯により報知するためのＬＥＤ２２２とを有する子機２２０と、該子機２２０に接続されて、当該子機２２０により撮像された報知ＬＥＤの画像に基づいて、該報知ＬＥＤが予め設定された異常報知条件を満たすか否かを判定するとともに、異常報知条件を満たすと判定したときに、該判定したことを管理コンピュータ７に通知する親機２１０とから構成されていて、本実施例では、親機２１０の１台に対して、最大４台の子機２２０を接続可能とされていて、これら子機２２０の数を適宜に増減できるようになっている。
【００２４】
次いで、監視ユニット２の形状について説明すると、図３に示すように、監視ユニット２は、略Ｔ字状のユニット装着台２０３と、親機２１０と、子機２２０と、ユニット装着台２０３をラック１の開閉扉１０１に固定するための固定爪部２０４L、２０４Rとから構成される。
【００２５】
ユニット装着台２０３は、親機２１０を装着可能な大きさを有する四角板状の親機装着部２０３ａと、ラック１の開閉扉１０１の幅方向と略等しい長さを有する四角棒状とされた子機装着部２０３ｂとから構成される。親機２１０は、親機装着部２０３ａにネジにより着脱可能に固定される。子機２２０は、子機２２０に設置されたカメラ２２１がラック１の内方向に向くように子機装着部２０３ｂに嵌着できるようなコ字状をされていて、上部側面に設けられたネジにより子機装着部２０３ｂに固定され、ネジを緩めた状態でスライドさせて、位置調節自在とされている。また、子機２２０の上側にＬＥＤ２２２が設けられており、利用者は、ラック１の開閉扉１０１のガラス部１０１ａを透して、ラック１の開閉扉１０１の開閉に関わらずＬＥＤ２２２により異常を報知している子機２２０の場所を確認することができる。
【００２６】
子機装着部２０３ｂの子機２２０の装着側とは反対側、つまりラック１の開閉扉１０１側に面する側には、開閉扉１０１の中央部に設けられたガラス部１０１ａの外周枠部に、差込可能とされた固定爪２０５Ｌ、２０５Ｒを備え、子機装着部２０３ｂに嵌着可能とするためにコ字状とされた固定爪部２０４Ｌ、２０４Ｒが設けられており、上部側面に設けられたネジにより子機装着部２０３ｂに固定され、ネジを緩めた状態でスライドさせて、位置調節自在とされている。また、上部及び下部側面の厚みは、子機２２０と衝突しないような厚みとされている。このように、子機装着部２０３ｂは、ラック１の開閉扉１０１に対して、高さ位置に関して無段階に、かつ着脱可能に固定できるようになっている。
【００２７】
このように、本実施例では、監視ユニット２を、図３に示すように、ラック１の前面を覆う開閉扉１０１の内方位置となる内面に配置しており、このようにすることで、監視ユニット２が開閉扉１０１の内方に収容されるようになるため、これら監視ユニット２に人等が誤って触れることにより、その配置位置にズレが生じる等の危険性を大幅に低減できるようになっている。
【００２８】
本実施例の親機２１０には、図５に示すように、ＣＰＵの制御プログラムや各種データテーブル等を格納するＲＯＭ、当該ＲＯＭに格納された画像認識により報知ＬＥＤが異常判定条件を満たすか否かの判定処理等の各種処理を実施するための処理プログラムを実施するＣＰＵ、必要なデータの書き込み及び読み出しを行うＲＡＭを備える制御部２１１と、図１５に示すように、後述する設定処理において設定される各種の情報、具体的には、監視対象となる報知ＬＥＤの画像を含む監視領域の情報や、当該監視領域に含まれる報知ＬＥＤの異常を判定するための異常判定条件となる監視パターン情報や、報知ＬＥＤの異常を判定したときに異常通知（警報）を送信するランプユニット５や管理コンピュータ７など送信先のネットワークアドレスを含む警報送信先情報等を記憶する記憶部２１２と、子機２２０と通信するための通信部２１３と、管理コンピュータ７や設定用管理コンピュータ（ノートパソコン）７’等を含むＬＡＮ内の各種機器と通信するための異常通知送信手段としての通信部２１４と、監視ユニット２に振動（衝撃）や転倒等の不適切な加速度が発生した旨を検出する加速度センサ２１５と、監視ユニット２の周辺温度を計測する温度センサ２１６が設けられており、前記制御部２１１が、前述した各部やセンサ等と接続されることで、接続されている子機２２０を含む監視ユニット２全体の動作制御を実施できるようになっている。
【００２９】
この親機２１０の監視領域と条件の設定は、ハブ４に可搬可能なノートパソコンによる設定用管理コンピュータ７’を繋げることで、親機２１０と設定用管理コンピュータ７’とがデータ通信を実施することで、設定用管理コンピュータ７’において、該親機２１０を含む監視ユニット２が設けられていて、監視対象とする報知ＬＥＤを目視できるとともに、子機２２０の位置を調節可能な場所において設定を実施できるようになっており、これらハブ４を介して設定用管理コンピュータ７’との通信を可能とする通信部２１４により、本発明の設定端末接続手段が形成されている。
【００３０】
また、本実施例では、図１並びに図２に示すように、各ラック１毎に１対１に対応付けてランプユニット５を、遠方からでも、当該ランプユニット５の点灯を目視確認できるように、ラック１の天面上に設けており、該ランプユニット５は、ハブ４と接続されたランプ制御部５０１と、ランプ制御部５０１と接続されたランプ５０２とから構成されている。このランプ制御部５０１は、当該ランプユニット５が対応するラック１内に設置されている親機２１０から送信される異常通知（警報）が管理コンピュータ７へ送信されることで、当該管理コンピュータ７からハブ４を介して送信されてくる点灯指示に基づいて点灯することで、対応するラック１内に収納されているサーバコンピュータにおいて異常が発生していることを報知するようになっていて、これら異常の発生しているサーバコンピュータを収納しているラック１を、データセンタ内に設置されている多数のラック１内から容易に特定できるようになっている。
【００３１】
本実施例に用いた管理コンピュータ７の構成は、図５に示すように、当該管理コンピュータ７に接続されている監視ユニット２（親機２１０）を集中管理するための各種処理や、異常時の画像を表示出力する処理や、外部に対して監視結果を通知する処理等の各種処理を実施する制御部７１１と、前述の監視ユニット２（親機２１０）の制御部２１１の記憶部２１２に記憶されている情報と同様の情報を冗長的に記憶するとともに、警報情報や、監視ログ、後述する設定画面（設定用管理コンピュータ７’）において設定可能な複数の異常判定条件となる監視パターン情報や、異常通知（警報）時の画像を記憶する異常判定時画像記憶手段並びに異常判定条件記憶手段としての記憶部７１２と（図５参照）、前記記憶部７１２に記憶されている警報時画像や、後述する画面（図５、図６参照）に基づいて利用者からの入力を受付可能な入出力装置（本実施例では、ディスプレイ、キーボード、マウス）を備えた出力手段となる入出力部７１３と、ＬＡＮ６に接続されている各種機器とのデータ通信を実施するための通信部７１４と、インターネット８に接続された通信部７１５と、電話網９と接続された通信部７１６と、から構成されていて、接続されている監視ユニット２（親機２１０）において設定されている設定内容の確認や、設定内容の変更、並びに前述の異常通知（警報）の受信に基づく異常発生の報知や、当該異常通知（警報）を送信してきた監視ユニット２（親機２１０）が設けられているラック１に対応するランプユニット５への点灯指示の送信を実施するようになっている。
【００３２】
図９、図１０、図１１は、本実施例のコンピュータ関連機器監視システムを構成する管理コンピュータ７の記憶部７１２に記憶される本実施例における情報を示す図である。また、図１０に示す情報は、監視ユニット２（親機２１０）の記憶部２１２にも冗長に記憶されるようになっている。
【００３３】
図９（ａ）は、ラックＩＤごとにラック１の名前と説明を定めたラック情報であり、管理コンピュータ７においてラック１の管理情報として用いられる。
【００３４】
図９（ｂ）は、ラックＩＤごとにランプユニット５のネットワークアドレスを定めたランプ情報であり、管理コンピュータ７においてラックＩＤにより識別されるラック１に取り付けられたランプユニット５と情報の送受信を行うときに用いられる。
【００３５】
図９（ｃ）は、ラックＩＤ及び監視ユニットＩＤごとに監視ユニット２の名前とネットワークアドレスを定めた監視ユニット情報であり、管理コンピュータ７において監視ユニットＩＤにより識別される監視ユニット２と情報の送受信を行うときに用いられる。
【００３６】
図９（ｄ）は、監視ユニットＩＤ及び子機ＩＤごとに子機２２０の名前とネットワークアドレスを定めた子機情報であり、管理コンピュータ７において子機ＩＤにより識別される子機２２０と情報の送受信を行うときに用いられる。
【００３７】
図１０（ａ）は、子機ＩＤ及び領域ＩＤごとに、子機２２０に取り付けられたカメラ２２１の撮像範囲（本実施例では、図６（ａ）に示すように、撮像範囲の左上の座標を（０、０）、右下の座標を（１００、１００）とする）に設定された監視領域（基準位置と、基準位置からの横幅ポイント数と縦幅ポイント数）と、この監視領域に適用される後述する監視パターンを識別可能な監視パターンＩＤと、監視パターンに照らして異常と判定されたときに送信する後述する警報を識別可能な警報ＩＤと、を定めた領域情報である。報知ＬＥＤごとに設定された異常判定条件として用いられる。
【００３８】
図１０（ｂ）は、監視パターンＩＤごとに監視色と監視時間と点滅回数と説明を定めた監視パターン情報である。例えば、監視色が黒で、監視時間が３秒で、点滅回数が０回であるときには、黒色が３秒間、点滅せずに点灯しつづける点灯態様を示しており、図７（ｃ）に示す異常判定条件設定画面においては、消灯中なら警告、という選択肢として表示される。尚、点滅回数として負の数が設定されているときには、監視時間に点滅が回数を問わず発生したときに異常と判定する旨を示している。監視パターン情報は領域情報（図１０（ａ）参照）とともに、監視ユニット２において報知ＬＥＤごとに設定された異常判定条件として用いられる。
【００３９】
図１０（ｃ）は、警報ＩＤごとに警報送信先のネットワークアドレスを定めた警報送信先情報であり、監視ユニット２において、設定された異常判定条件に従って監視領域において異常が発生したと判定されたときや、加速度センサ２１５や温度センサ２１６により予め定められた大きさ以上の振動や温度が検出されたときに、異常通知（警報）を送信するあて先として利用される。あて先としては、主に管理コンピュータ７や、ランプユニット５のいずれか、または両方が設定されており、ランプユニット５が設定されているときには、管理コンピュータ７からランプユニット５へ点灯指示としての異常通知（警報）が送信される。
【００４０】
図１１（ａ）は、警報ＩＤごとに説明と処理内容を定めた警報情報であり、管理コンピュータ７において、監視ユニット２から警報ＩＤを含む異常通知（警報）が送信されてきたときに、この異常通知（警報）の処理内容を決定するために用いられる。図１１（ｂ）は、日時、ラックＩＤ、監視ユニットＩＤ、子機ＩＤ、領域ＩＤ、警報ＩＤ、画像ファイル名からなる監視ログ情報であり、管理コンピュータ７において監視ユニット２から警報が送信されてきた日時や、警報の内容、警報の送信元を記録するために用いられる。
【００４１】
図４（ａ）は、４台の子機２０２ａ〜２０２ｄが設定された監視ユニット２が、ラック１の開閉扉１０１の内方に取り付けられた場合のラック１の水平方向の断面図であり、点線は各々の子機２２０ａ〜２２０ｄによる撮像範囲を示している。本実施例では、子機２２０の水平方向の撮像範囲は１０ｃｍとされており、監視ユニット２に各々の子機２２０ａ〜２２０ｄの撮像範囲が重複しないように取り付ければ、監視ユニット２により水平方向に約４０ｃｍの範囲を撮像することができ、大半が約４５ｃｍの横幅を有するように製造された市販のサーバコンピュータの報知ＬＥＤをもれなく撮像できるようになっている。また、サーバコンピュータの報知ＬＥＤのうち、監視対象となる報知ＬＥＤが１０ｃｍの範囲内にすべて取り付けらている場合には、子機２２０を１台の取り付けた監視ユニット２で撮像できるようになっている。
【００４２】
図４（ｂ）は、子機２２０ｅ、２２０ｆ、２２０ｇを各々備える３つの監視ユニット２ｅ、２ｆ、２ｇが、ラック１の開閉扉１０１の内方に取り付けられた場合のラック１の垂直方向の断面図であり、点線は各々の子機２２０ｅ、２２０ｆ、２２０ｇにより撮像される範囲を示している。本実施例では、子機２２０の垂直方向の撮像範囲は１０ｃｍとされており、子機２０２ｅ、２０２ｆ、２０２ｇの撮像範囲が重複しないように監視ユニット２ｅ、２ｆ、２ｇをラック１に取り付ければ、３つの監視ユニット２ｅ、２ｆ、２ｇにより、垂直方向に約３０ｃｍの範囲を撮像することができる。市販のサーバコンピュータは、いわゆる１Ｕ（約４．５ｃｍ）を基準として、１Ｕ、２Ｕ、３Ｕ等の高さを有するように製造されたものが大半であり、特に１Ｕの高さをもつサーバコンピュータが広く利用されている。このため、監視ユニット２により１Ｕの高さをもつサーバコンピュータ２台分のＬＥＤを撮像できるようになっている。このように、適切に監視ユニット２及び子機２２０を設置することにより、監視ユニット２及び子機２２０の設置数を抑制しながらも、確実にサーバの監視を行うことができる。
【００４３】
次いで、本実施例のコンピュータ関連機器監視システムの利用方法について説明する。本実施例では、設定用管理コンピュータ７’を用いてサーバコンピュータの監視を行うための各種情報がラック１に設置された監視ユニット２（親機２１０）及び管理コンピュータ７に登録されると、監視ユニット２及び管理コンピュータ７においてサーバコンピュータの監視が開始される。また、設定用管理コンピュータ７’を用いてサーバコンピュータの監視を行うための各種情報がラック１に設置された監視ユニット２及び管理コンピュータ２から削除されると、該監視ユニット２においてサーバコンピュータの監視が停止されるようになっている。
【００４４】
そこで、データセンタの従業員等の利用者は、まず、監視を所望するサーバコンピュータが収納されたラック１のハブ４に設定用管理コンピュータ７’を接続し、この設定用管理コンピュータ７’により、サーバコンピュータを撮像する監視ユニット２及び管理コンピュータ７に対して、前述したサーバコンピュータの監視を行うための各種情報（図１０〜図１１参照）の設定を行う。その後、監視ユニット２では、サーバコンピュータの報知ＬＥＤを監視して監視パターンに基づく異常条件判定を行うとともに、親機２１０の加速度センサ２１５及び温度センサ２１６を監視して予め定められた大きさ以上の振動や温度の検出に基づく異常判定を行い、異常通知（警報）等を行うようになる。また、管理コンピュータ７では、サーバコンピュータの監視、すなわち監視を所望するサーバコンピュータを撮像する監視ユニット２から撮像画像を取得して稼動状況を確認したり、監視ユニット２から送信されたサーバコンピュータの報知ＬＥＤと振動や温度に関する異常通知（警報）の確認等を行うようになる。
【００４５】
まず、サーバコンピュータの監視を行うための各種情報の設定について説明していく。サーバコンピュータの監視を行うための各種情報の設定とは、データセンタ内に設置されたラック１に関する情報の設定と、ラック１に取り付けられた監視ユニット２とランプユニット５に関する情報の設定と、監視ユニット２に取り付けられた子機２２０に関する情報の設定と、子機２２０による撮像範囲に含まれるサーバコンピュータの報知ＬＥＤに１対１に対応づけた監視領域の設定と、監視領域に対するサーバコンピュータの報知ＬＥＤの異常判定条件の設定と、からなる。このように、サーバコンピュータの監視を行うための各種情報は階層構造を形成しており、ラック１、監視ユニット２とランプユニット５、子機２２０、監視領域、異常判定条件の順に上層から下層の情報へと設定を行うようになっている。
【００４６】
例えば、新たにラック１を設置し、当該ラック１に収納されたサーバコンピュータを監視する監視ユニット２を設定し、当該監視ユニット２をコンピュータ関連機器監視システムに登録するときには、ラック１に関する情報の登録から異常判定条件に関する情報へと階層順に順次登録することとなる。このように、新たにラック１とサーバコンピュータを設置した場合に、利用者がコンピュータ関連機器監視システムに対して実行する操作を、図６、図７に基づいて以下に説明していく。
【００４７】
利用者が、設定用管理コンピュータ７’において、本実施例のコンピュータ関連機器監視システムのプログラムを起動すると、図６（ａ）に示す初期画面が表示される。この初期画面（図６（ａ）参照）において、登録済みのラック１が一覧表示されており、利用者は監視対象のラック１を選択するが、ラック１が未登録である場合には、ボタン操作によりラック追加操作を実行する。ボタン操作後、図６（ｂ）に示すラック１の登録画面が表示される。利用者が名前と説明からなるラック情報を入力し、ボタン操作により登録操作を実行すると、入力されたラック情報が設定用管理コンピュータ７’からＬＡＮ６を介して管理コンピュータ７に送信されて、管理コンピュータ７の記憶部７１２に登録されるとともに、当該ラック情報が設定用管理コンピュータ７’の初期画面（図６（ａ）参照）に表示されて、監視対象として選択できるようになる。
【００４８】
利用者がラック１を選択すると、初期画面（図６（ａ）参照）にラック１に取り付けられた監視ユニット２とランプユニット５が一覧表示される。新たに登録されたラック１には、監視対象として選択可能な監視ユニット２もランプユニット５も登録されておらず、利用者はこれらの登録操作を実行する。
【００４９】
まず、利用者は、ボタン操作によりランプユニット追加操作を実行する。ボタン操作後、図６（ｄ）に示すランプユニット５の登録画面が表示される。利用者がランプユニット５のネットワークアドレスを入力し、ボタン操作により登録操作を実行すると、入力されたランプユニット情報が設定用管理コンピュータ７’から、ＬＡＮ６を介して管理コンピュータ７に送信されて、管理コンピュータ７の記憶部７１２に登録されるとともに、当該ランプユニット情報が設定用管理コンピュータ７’の初期画面（図６（ａ）参照）に表示されて、監視対象として選択できるようになる。また、管理コンピュータ７は、登録されたネットワークアドレスに制御信号を送信することで、ランプユニット５の点灯及び消灯が可能となる。
【００５０】
次に、利用者は、ボタン操作により監視ユニット追加操作を実行する。ボタン操作後、図７（ａ）に示す監視ユニット２の登録画面が表示される。利用者が名前と監視ユニット２のネットワークアドレスを入力し、ボタン操作により登録操作を実行すると、入力された監視ユニット情報が設定用管理コンピュータ７’からＬＡＮ６を介して管理コンピュータ７に送信されて、管理コンピュータ７の記憶部７１２に登録されるとともに、当該監視ユニット情報が設定用管理コンピュータ７’の初期画面（図６（ａ）参照）に表示されて、監視対象として選択できるようになる。
【００５１】
利用者が監視ユニット２を選択すると、初期画面（図６（ａ）参照）に監視ユニット２に取り付けられた子機２２０が一覧表示される。新たに登録された監視ユニット２には、監視対象として選択可能な子機２２０は登録されておらず、利用者はボタン操作により子機２２０の登録操作を実行する。
【００５２】
ボタン操作後、図７（ｂ）に示す子機２２０の登録画面が表示され、利用者は名前と子機２２０のネットワークアドレスを入力し、ボタン操作により登録操作を実行すると、入力された子機情報が設定用管理コンピュータ７’からＬＡＮ６を介して管理コンピュータ７に送信されて、管理コンピュータ７の記憶部７１２に登録されるとともに、当該子機情報が設定用管理コンピュータ７’の初期画面（図６（ａ）参照）に表示されて、監視対象として選択できるようになる。
【００５３】
利用者が子機２２０を選択すると、子機２２０のネットワークアドレスに基づいて、該選択された子機２２０に取り付けられたカメラ２２１から撮像画像が取得されて、図６（ａ）に示すように、初期画面の右側に表示されるようになっている。本実施例では、カメラ２２１の撮像範囲は１０ｃｍ×１０ｃｍの四角面状とされており、サーバコンピュータの報知ＬＥＤの密集度に応じて撮像範囲内に複数の報知ＬＥＤが存在する場合があるが、子機２２０の撮像範囲内に、報知ＬＥＤの画像を含む監視領域を最大で３２点登録できるようになっている。新たに登録された子機２２０には、監視領域は登録されておらず、利用者はマウス操作（例えば、任意の個所でクリックし、クリックしたままマウスカーソルを移動させるいわゆるクリック＆ドラッグ）により監視領域の登録操作を実行する。
【００５４】
例えば、図６（ａ）の初期画面の右側（黒塗りの矢印はマウスカーソル、実線の四角形がマウスカーソルにより設定中の監視領域、四角形の上の数字である２は設定中の監視領域の通し番号をそれぞれ示している）に示すように、利用者がマウス操作を行って報知ＬＥＤ（Ｎという文字が印字されたＬＥＤ）の画像を含む領域を設定すると、入力された領域情報が設定用管理コンピュータ７’から管理コンピュータ７に送信される。そして、管理コンピュータ７の記憶部７１２に登録されるとともに、該領域情報が設定用管理コンピュータ７’の初期画面（図６（ａ）参照）に表示されて、監視対象として選択できるようになる。また、この領域情報は監視ユニット２（親機２１０）にも送信され、監視ユニット２（親機２１０）の記憶部２１２に登録される。このように、領域情報は管理コンピュータ７と監視ユニット２に冗長に記憶される。
【００５５】
尚、本実施例では、監視領域として報知ＬＥＤの画像を含む領域を設定するようになっているが、本発明はこれに限定されるものではなく、子機２２０による撮像画像がサーバコンピュータに設けられた報知ＬＣＤを含む場合には、報知ＬＥＤの画像を含む領域を監視領域として設定する場合と同様に、初期画面（図６（ａ）参照）を利用して該報知ＬＣＤの画像を含む領域を監視領域として設定できる。
【００５６】
利用者が監視領域を選択した後、初期画面（図６（ａ）参照）に示す監視／警報設定ボタンを操作すると、図７（ｃ）に示す異常判定条件設定画面が表示される。異常判定条件設定画面は、監視パターン、警報内容、警報送信先、を予め定められた選択肢の中から選択して入力できるようになっている。監視パターンは、報知ＬＥＤの異常を判定するための異常判定条件であり、設定用管理コンピュータ７’では、管理コンピュータ７の記憶部７１２に記憶されている監視パターン情報を管理コンピュータ７から受信して、選択肢を生成し異常判定条件設定画面（図７（ｃ）参照）に表示している。このように、本実施例では、各監視領域に設定する異常判定条件は、記憶されている設定内容データに基づいて設定メニュー内に一覧表示され、当該一覧の中から選択して設定できるようになっており、例えば、サーバコンピュータを設定するごとに、報知ＬＥＤの点灯態様を調査して監視パターンを新たに検討し、その監視パターンが確実に異常判定を行えるかをテストし、その監視パターンを設定するというような場合に比べて、確実に異常を判定可能な監視パターンを簡単に設定できるようになっている。
【００５７】
また、異常判定条件設定画面（図７（ｃ）参照）における警報内容は、監視領域に含まれる報知ＬＥＤが監視パターンにて定められた点灯態様となったときの異常通知（警報）の種別であり、設定用管理コンピュータ７’では、管理コンピュータ７の記憶部７１２に記憶されている警報情報を管理コンピュータ７から受信することにより、選択肢を生成し異常判定条件設定画面（図７（ｃ）参照）に表示している。また、警報送信先は、監視ユニット２が報知ＬＥＤの異常通知（警報）を送信するときのあて先であり、設定用管理コンピュータ７’により、管理コンピュータ７や異常通知（警報）の送信元であるラック１に取り付けられたランプユニット５を設定できるようになっている。異常通知（警報）が管理コンピュータ７に送信されると、管理コンピュータ７の記憶部７１２に記憶されている警報情報に基づいて処理が実行される。また、異常通知（警報）がランプユニット５に送信されると、異常通知（警報）の送信元であるラック１に取り付けられたランプユニット５のランプ５０１が点灯する。
【００５８】
例えば、サーバコンピュータのメーカが作成したマニュアル等において、Ｎが印字された報知ＬＥＤの消灯中はネットワーク未接続と定められている場合は、図７（ｃ）に示すように、監視パターンとして消灯中なら警告、警報内容としてネットワーク未接続を選択することにより、初期画面（図６（ａ）参照）の右側に示すＮが印字された報知ＬＥＤの画像を含む監視領域に、Ｎが印字された報知ＬＥＤの消灯であるときに、ネットワーク未接続という異常通知（警報）を管理コンピュータ７に送信する異常判定条件を設定できる。
【００５９】
利用者が、異常判定条件設定画面（図７（ｃ）参照）において選択した監視パターン（監視パターンＩＤ）、警報内容（警報ＩＤ）、警報送信先（ネットワークアドレス）、は、管理コンピュータ７と監視ユニット２（親機２１０）に送信され、管理コンピュータ７の記憶部７１２と、監視ユニット２（親機２１０）の記憶部２１２に冗長に記憶される。
【００６０】
このように、本実施例では、１つの撮像手段である子機２２０にて撮像される画像中において、複数の監視領域を設定できる（最大３２点まで）とともに、その個々の監視領域に対して、個別の異常判定条件を設定できるようになっている。
【００６１】
このようにして設定用管理コンピュータ７’により、監視ユニット２（親機２１０）に対して監視領域と異常判定条件の設定を行うと、監視ユニット２（親機２１０）の制御部２１１は、加速度センサ２１５及び温度センサ２１６に基づく振動や温度の異常判定と、設定された監視領域と異常判定条件に基づく画像監視処理を繰返し実行し、異常と判定されたときに異常通知（警報）を行うようになっている。
【００６２】
この画像監視処理について図１２に基づいて説明すると、まず、親機２１０は、記憶部２１２に記憶された領域情報を例えば領域ＩＤ順にひとつずつ選択し（Ｓ１）、選択した領域情報により特定される監視パターンＩＤ基づいて、監視パターン情報を特定し、監視色、監視時間、点滅回数を制御部２１１に設定する（Ｓ２）。
【００６３】
このようにして設定された監視領域と異常判定条件に基づいて、監視ユニット２（親機２１０）の制御部２１１が行う画像監視処理について図１２に基づいて説明すると、画像監視処理において、まず、親機２１０は、記憶部２１２に記憶された領域情報を例えば領域ＩＤ順にひとつずつ選択し（Ｓ１）、選択した領域情報により特定される監視パターンＩＤ基づいて、監視パターン情報を特定し、監視色、監視時間、点滅回数を制御部２１１に設定する（Ｓ２）。
【００６４】
次いで、点滅回数が０であるか否かを判定し（Ｓ３）、点滅回数が０である場合には、報知ＬＥＤが監視時間の間、継続して監視色となっていたか否かを判定する継続時間判定処理に移行する（Ｓ１８〜Ｓ３０）。継続時間判定処理に移行すると、子機２２０のカメラ２２１から画像を取得し（Ｓ１８）、画像中に設定された監視領域の色を判定し検出色を特定する（Ｓ１９）。
【００６５】
次いで、検出色が監視色であるか否かを判定し（Ｓ２０）、監視色である場合には、監視中である旨を示す監視中フラグがセットされているか否かを判定する（Ｓ２１）。監視中でない場合には、監視中フラグをセットして（Ｓ２９）、検出色が連続して監視色となっていた時間を計時する監視タイマをスタートする（Ｓ３０）。
【００６６】
Ｓ２１のステップにおいて、監視中である場合には、監視タイマにより計時された時間が監視時間に到達したか否かを調べ（Ｓ２２）、監視時間に到達していない場合にはＳ１８に移行し、再び検出色を確認する。また、監視時間に到達している場合には、監視中フラグをクリアするとともに（Ｓ２３）、警報ＩＤに基づいて警報送信先情報を特定し（Ｓ２４）、Ｓ１８のステップにおいて最後に取得された画像と警報ＩＤと子機２２０のネットワークアドレスからなる警報情報を、警報送信先に送信する（Ｓ２５）。そして、子機２２０のＬＥＤ２２２を発光させて（Ｓ２６）、Ｓ１において選択した領域情報に基づく監視を終了して、Ｓ１に再び移行し、次の領域情報に基づく監視を開始する。
【００６７】
Ｓ２０のステップにおいて、検出色が監視色でない場合に、監視中フラグが設定されていると（Ｓ２７）、監視中フラグをクリアして（Ｓ２８）、Ｓ１において選択した領域情報に基づく監視を終了して、Ｓ１に移行し、次の領域情報に基づく監視を開始する。
【００６８】
Ｓ３のステップにおいて、点滅回数が０でない場合、すなわち点滅があるかないかを調べる必要がある場合には、報知ＬＥＤが監視時間の間に、何回点滅したかを判定する点滅回数判定処理に移行する（Ｓ４〜Ｓ１７、Ｓ３１〜Ｓ３６）。点滅回数判定処理に移行すると、子機２２０のカメラ２２１から画像を取得し（Ｓ４）、画像中に設定された監視領域の色を判定し検出色を特定する（Ｓ５）。
【００６９】
次いで、検出色が監視色であるか否かを判定し（Ｓ６）、監視色である場合には、監視色と監視色以外の色とが交互に出現する点滅状態が連続した時間を計時する監視タイマをスタートし（Ｓ７）、点滅回数を計測する点滅カウンタに０をセットする（Ｓ８）。
【００７０】
そして、監視タイマにより計時された時間が監視時間に到達したか否かを調べ（Ｓ９）、監視時間に到達していない場合には、子機２２０のカメラ２２１から画像を取得し（Ｓ１０）、画像中に設定された監視領域の色を判定し検出色を特定する（Ｓ１１）。そして、検出色が監視色以外であるか否かを判定し（Ｓ１２）、監視色から監視色以外に変化したか否か、すなわち点滅したか否かを特定する。監視色が継続して検出された場合には、Ｓ９へ移行し、監視タイマが監視時間に到達するか、監視色以外の色が検出されるまでＳ９〜Ｓ１２を繰返し実行する。
【００７１】
Ｓ１２において、検出色が監視色以外であった場合には、点滅カウンタに１を加算する（Ｓ１３）。
【００７２】
そして、監視タイマにより計時された時間が監視時間に到達したか否かを調べ（Ｓ１４）、監視時間に到達していない場合には、子機２２０のカメラ２２１から画像を取得し（Ｓ１５）、画像中に設定された監視領域の色を判定し検出色を特定する（Ｓ１６）。そして、検出色が監視色であるか否かを判定し（Ｓ１７）、監視色以外から監視色に変化したか否か、すなわち点滅したか否かを特定する。監視色以外が継続して検出された場合には、Ｓ１４へ移行し、監視タイマが監視時間に到達するか、監視色が検出されるまでＳ１４〜Ｓ１７を繰返し実行する。
【００７３】
Ｓ１７において、検出色が監視色であった場合には、Ｓ９へ移行して、監視タイマが監視時間に到達するか、監視色以外の色が検出されるまでＳ９〜Ｓ１２を繰返し実行する。
【００７４】
Ｓ９及びＳ１４において、監視タイマにより計時された時間が監視時間に到達したときには、監視時間中の点滅回数に応じて異常状態か否かを判定する処理へ移行する（Ｓ３１〜Ｓ３６）。
【００７５】
領域情報に設定された点滅回数が０より大きいか否かを判定し（Ｓ３１）、０より大きいときには、点滅カウンタが点滅回数と同じか否か、すなわち設定された回数だけ点滅したかを判定する（Ｓ３２）。点滅カウンタが点滅回数と同じときには、警報ＩＤに基づいて警報送信先情報を特定し（Ｓ３３）、Ｓ１８のステップにおいて最後に取得された画像と警報ＩＤと子機２２０のネットワークアドレスからなる警報情報を、警報送信先に送信する（Ｓ３４）。そして、子機２２０のＬＥＤ２２２を発光させて（Ｓ３５）、Ｓ１において選択した領域情報に基づく監視を終了し、Ｓ１に再び移行して、次の領域情報に基づく監視を開始する。また、Ｓ３２において、点滅カウンタが点滅回数と異なるときには、警報を送信せずにＳ１に移行する。
【００７６】
Ｓ３１において、点滅回数が０より小さいときには、点滅カウンタが０より大きいか否かを判定することにより（Ｓ３２）、点滅があったか否かのみを判定する。点滅カウンタが０より大きいときには、Ｓ３３に移行し、警報と画像を送信するとともに（Ｓ３４、Ｓ３５）、ＬＥＤを点灯させて（Ｓ３６）、Ｓ１へ移行する。また、Ｓ３２において、点滅カウンタが０以下であるときには、警報を送信せずにＳ１に移行する。
【００７７】
本実施例のコンピュータ関連機器監視システムでは、監視ユニット２（親機２１０）の制御部２１１が前述した画像監視処理を実行することにより、サーバコンピュータの報知ＬＥＤの点灯態様が、監視ユニット２（親機２１０）の記憶部２１２に記憶された監視パターンとなったときには、記憶部２１２に記憶された送信先情報に基づいて、異常通知（警報）を異常判定条件を満たす契機となった子機２２０の撮像画像とともに、管理コンピュータ７に送信されるようになっている。以下、この送信された異常通知（警報）に基づく、本実施例のコンピュータ関連機器監視システムにおけるサーバコンピュータの監視方法について説明していく。
【００７８】
本実施例におけるサーバコンピュータの監視とは、監視を所望するサーバコンピュータを撮像する監視ユニット２から撮像画像を取得して稼動状況を確認と、監視ユニット２から送信されたサーバコンピュータの報知ＬＥＤの異常通知（警報）の確認と、からなる。それぞれの場合に、利用者がコンピュータ関連機器監視システムに対して実行する操作を、図８に基づいて以下に説明していく。
【００７９】
利用者が、管理コンピュータ７に表示された初期画面（図８参照）の左側の階層構造のメニューをマウス操作により選択することで、監視を所望する子機２２０を選択すると、管理コンピュータ７は、子機２２０に取り付けられたカメラ２２１から撮像画像を取得して、初期画面の右側（図８参照）に表示する。このようにして、監視を所望するサーバコンピュータを撮像する監視ユニット２から撮像画像を取得して稼動状況を確認できる。
【００８０】
また、管理コンピュータ７に表示された初期画面（図８参照）の下部には、データセンタのラック１に設置されたいずれかの監視ユニット２から送信された警報情報の履歴が表示されるようになっており、表示されている警報情報を選択することにより、監視ユニット２から警報情報とともに送信された警報時の撮像画像が初期画面の右側に表示される。このようにして、監視ユニット２から送信されたサーバコンピュータの報知ＬＥＤの異常通知（警報）の確認でき、また、利用者は警報情報に応じて、該当するラック１へ移動してサーバコンピュータの稼働状況の確認等を行うこともできる。
【００８１】
尚、本実施例では、報知ディスプレイの一形態として報知ＬＥＤを適用し、報知ＬＥＤの点灯態様に基づく異常判定及び異常通知（警報）について説明したが、本発明はこれに限定されるものではなく、報知ディスプレイとしてＬＣＤ等の文字表示可能な表示装置を適用しても良く、このような場合にも表示態様、例えば、子機２２０の撮像画像中のＬＣＤを含む画像を監視領域として設定し、該監視領域中のＬＣＤに表示された文字等の認識結果、に基づいて異常判定及び異常通知（警報）を行う構成としても良い。
【００８２】
以上説明したように、本実施例におけるコンピュータ関連機器監視システムでは、監視しようとする報知ディスプレイとしての報知ＬＥＤが監視ユニット２（親機２１０）に取り付けられた子機２２０による撮像画像中に含まれるように子機２２０を配置し、当該画像中において監視しようとする報知ＬＥＤを含む領域の監視領域に指定するとともに、当該監視領域に含まれる報知ＬＥＤの監視パターンを設定することで、当該報知ＬＥＤの点灯態様が監視パターンを満たすか否かが監視ユニット２（親機２１０）の制御部２１１にて常時監視され、その判定結果が監視パターンを満たすと判定されたときに、該監視パターンを満たすと判定されたこと、つまりは異常が発生したことが監視ユニット２（親機２１０）の制御部２１１から送信された異常通知（警報）に基づく管理コンピュータ７の入出力部７１３による表示や、ランプユニット５や子機２２０のＬＥＤ２２２の点灯により報知されるようになるため、常時監視されることでより綿密に、しかも監視対象の報知ＬＥＤを含む監視領域と監視パターンとを一度設定することで、当該設定内容に基づいた判定が実施されることで、正確な報知ＬＥＤの監視を、多くの労力を必要とすることなく実施することができる。
【００８３】
また、本実施例では、１つの監視ユニット２（親機２１０）に取り付けられた子機２２０による撮像画像中に複数の監視領域が設定可能となることで、子機２２０の数や設置スペースを大幅に省くことができ、システムをより低廉化できるばかりか、子機２２０を設置するための労力を低減できる。
【００８４】
また、本実施例では、個々の監視領域毎に異なる監視パターンが設定可能とされていることで、これら監視パターン毎に異なる監視ユニット２（親機２１０）に取り付けられた子機２２０を設ける必要がなく、さらに子機２２０の数や設置スペースを省くことができ、システムをより低廉化できるばかりか、子機２２０を設置するための労力をさらに低減できる。
【００８５】
また、本実施例では、一覧表示から選択するのみで監視パターンの設定を簡便に実施することができる。
【００８６】
また、本実施例では、報知ＬＥＤの点灯態様が監視パターンを満たすと判定されたときの画像を、監視ユニット２（親機２１０）の制御部２１１から送信された異常通知（警報）に基づく管理コンピュータ７の入出力部７１３による表示や、ランプユニット５や監視ユニット２（親機２１０）に取り付けられた子機２２０のＬＥＤ２２２の点灯後において確認することができ、どのような異常が生じたのかを判断するための判断材料に当該画像を資することができる。
【００８７】
また、本実施例では、多数のサーバコンピュータに設けられた報知ＬＥＤを監視する場合において、各監視ユニット２側に画像認識判定手段としての画像監視処理を実行する制御部２１１を有する親機２１０を備えることで、これら画像認識判定に必要となる画像認識処理に要する負荷を分散することができ、より多くのサーバコンピュータに設けられた報知ＬＥＤの監視が可能となるとともに、どの監視ユニット２が監視パターンを満たすと判定したかを管理コンピュータ７側にて把握できるようになり、異常に対して迅速に対応できるようになる。
【００８８】
また、本実施例では、監視ユニット２（親機２１０）に取り付けられた子機２２０を設置する際に、設定用管理コンピュータ７’を通信部２１４を介して監視ユニット２に接続することで、子機２２０を設置している場所において子機２２０による撮像画像中に、監視対象となる報知ＬＥＤが含まれるか否かを簡便に確認しながら子機２２０を配置でき、便利であるとともに、実際の報知ＬＥＤと、画像中の当該報知ＬＥＤとを見比べながら監視領域や監視パターンを設定できることから、これら監視領域や監視パターンの設定操作を、確実かつ簡便に実施できる。
【００８９】
また、本実施例では、ラック１に収納されているサーバコンピュータの数等により、監視ユニット２を適宜に増減できるとともに、監視対象となる報知ＬＥＤを備えるサーバコンピュータが収納されている位置に応じて、監視ユニット２を適宜に配置できるようになるため、監視ユニット２の数を最小限に留めることができ、システムコストをより安価なものに抑えることができる。
【００９０】
また、本実施例では、撮像手段となる複数の監視ユニット２（親機２１０）に取り付けられた子機２２０に対して画像認識判定手段並びに異常通知送信手段としての画像監視処理を実行する制御部２１１を有する親機２１０を設けることで、画像認識判定手段を備える親機２１０の数を低減でき、よって、システムコストをより安価なものに抑えることができる。
【００９１】
また、本実施例では、親機２１０に接続される子機２２０の数を、必要に応じて増減でき、必要最小限に子機２２０の数を抑えることができ、よって、システムコストをより安価なものに抑えることができる。
【００９２】
また、本実施例では、子機２２０に設けられたカメラ２２１がラック１の内方向に向くように子機装着部２０３ｂに嵌着できるようなコ字状をされていて、上部側面に設けられたネジにより子機装着部２０３ｂに固定され、ネジを緩めた状態でスライドさせて、位置調節自在とされた形状をした子機２２０であることで、子機２２０の配置位置の調節が可能となり、該子機２２０に設けられたカメラ２２１により撮像される画像の範囲の調節を、容易に実施できるようになる。
【００９３】
また、本実施例では、監視ユニット２が開閉扉１０１の内方に収容されるようになるため、これら監視ユニット２に人等が誤って触れることにより、その配置位置にズレが生じる等の危険性を大幅に低減できる。
【００９４】
また、本実施例では、報知ＬＥＤの異常が判定されたラック１のランプユニット５が点灯することにより、複数のラック１が設けられていても、異常と判断されたサーバコンピュータを収容しているラック１を簡便に特定することができる。
【００９５】
また、本実施例では、報知ＬＥＤの異常が判定された監視ユニット２（親機２１０）に取り付けられた子機２２０のＬＥＤ２２２が点灯することにより、複数の子機２２０が近接して設けられていても、どの子機２２０が撮像している報知ＬＥＤが監視パターンを満たすと判定されたかを簡便に特定することができる。
【００９６】
また、本実施例のように、サーバコンピュータに設けられた報知ＬＥＤの点灯態様を監視することは、これら処理内容を監視する監視プログラムをサーバコンピュータに組み込んで実施させる場合に比較して、これら組み込んだ監視プログラムが各処理プログラムの動作に干渉することがないとともに、サーバコンピュータの処理が中断して監視プログラムが動作不能となっても、サーバコンピュータの動作状況に拘わらず確実な監視を実施することができる。
【００９７】
以上、本発明の実施例を図面に基づいて説明してきたが、本発明はこれら実施例に限定されるものではなく、本発明の主旨を逸脱しない範囲における変更や追加があっても本発明に含まれることは言うまでもない。
【００９８】
例えば、前記実施例では、多数のラックを配置しデータセンタに本発明のコンピュータ関連機器監視システムを適用した例を示したが、本発明はこれに限定されるものではなく、当該発明をデータセンタ以外にも適用可能なことは言うまでもなく、例えば、少数のラックが配置された企業内のデータ処理室等に本発明のコンピュータ関連機器監視システムを適用する場合には、管理コンピュータ７を有しない構成としても良い。
【００９９】
また、前記実施例では、監視ユニット２を親機２１０と子機２２０とで構成しているが、本発明はこれに限定されるものではなく、これらを個別ではなく一体とした構成としても良い。
【０１００】
また、前記実施例では、監視ユニット２をラック１の開閉扉１０１の内方位置に設けるようにしているが、本発明はこれに限定されるものではなく、開閉扉１０１が透明なガラスを有するものであれば、該開閉扉１０１の外側に配置しても良いし、或いは、報知ＬＥＤがサーバの表面ではなく、裏面側にある場合には、裏面側に監視ユニット２を設置するようにしても良い。
【０１０１】
また、前記実施例では、子機２２０毎にＬＥＤ２２２を設けているが、本発明はこれに限定されるものではなく、これらＬＥＤ２２２を設けない構成としても良い。
【０１０２】
また、前記実施例では、各領域毎に個別の異常判定条件を設定できるようになっているが、本発明はこれに限定されるものではなく、これら異常判定条件を、撮像手段である子機２２０における画像中において、全て共通としても良い。
【０１０３】
また、前記実施例では、各監視領域毎の異常判定条件を、メニューから選択できるようにしているが、本発明はこれに限定されるものではなく、これら異常判定条件を直接入力するようにしても良いし、また、これらの異常判定条件のメニューを光磁気記憶媒体に各サーバコンピュータのメーカ名と機種名等に対応付けて条件メニューデータとして記憶しておき、これらのデータを設定時に読み込んで、適宜に使用できるようにしても良い。
【０１０４】
また、前記実施例では、各ラック１毎の設けられたランプユニット５への点灯指示を管理コンピュータ７が実施するようにしているが、本発明はこれに限定されるものではなく、これら点灯指示を、当該ラック１内に設置された親機２１０から、異常通知（警報）とともに送信するようにしても良い。
【０１０５】
また、前記実施例では、撮像手段となる子機２２０により撮像された画像中において、複数の監視領域を設定できるようにしているが、本発明はこれに限定されるものではなく、これら監視領域を、各画像中において１つのみとしても良い。
【０１０６】
また、前記実施例では、親機２１０及び子機２２０の双方をラック１の開閉扉１０１の内方位置に設けるようにしているが、本発明はこれに限定されるものではなく、親機２１０を開閉扉１０１の外方位置に、子機２２０をラック１の開閉扉１０１の内方位置に設置するようにしても良い。
【０１０７】
また、前記実施例では、親機２１０が加速度センサ２１５及び温度センサ２１６を有するようにしているが、本発明はこれに限定されるものではなく、加速度センサ及び温度センサを別体とするとともに親機２１０に接続可能としておき、ラック１に設けられた親機２１０のいずれか１つにこれら別体とされた加速度センサ及び温度センサを接続することにより、ラック１がこれら加速度センサ及び温度センサを１つずつ有するようにしても良い。
【図面の簡単な説明】
【０１０８】
【図１】本発明の第１実施例であるラック１が適用されたコンピュータ関連機器監視システムの構成を示す図である。
【図２】ラック１の斜視図である。
【図３】ラック１を構成する監視ユニット２の取付状況の一例を示す斜視図である。
【図４】監視ユニット２に取り付けられた子機２２０によるラック１に収納されたサーバの報知ＬＥＤの撮影状況の一例を示すラック１の断面図である。（ａ）は水平方向、（ｂ）は垂直方向の断面図である。
【図５】ラック１のコンピュータ関連機器監視システムのブロック図である。
【図６】（ａ）（ｂ）（ｃ）は、管理コンピュータ７、設定用管理コンピュータ７’において、コンピュータ関連機器監視システムのシステム管理を行うときに表示される画面の一例を示す図である。
【図７】（ａ）（ｂ）（ｃ）は、管理コンピュータ７、設定用管理コンピュータ７’において、各種情報の設定を行うときに表示される画面の一例を示す図である。
【図８】管理コンピュータ７、設定用管理コンピュータ７’において、サーバコンピュータの監視を行うときに表示される画面の一例を示す図である。
【図９】管理コンピュータ７の記憶部７１２に記憶される各種情報を示す図である。
【図１０】管理コンピュータ７の記憶部７１２、監視ユニット２の記憶部２１２に記憶される各種情報を示す図である。
【図１１】管理コンピュータ７の記憶部７１２に記憶される各種情報を示す図である。
【図１２】監視ユニット２の制御部２１１で行われる画像監視処理のフローチャートである。
【符号の説明】
【０１０９】
１                ラック
２                監視ユニット
３                通信ケーブル
４                ハブ
５                ランプユニット
６                ＬＡＮ
７                管理コンピュータ
７’              設定用管理コンピュータ
８                インターネット
９                電話網
１０１            開閉扉
１０１ａ          ガラス部
２０３            ユニット装着台
２０４Ｌ、Ｒ      固定爪部
２０５Ｌ、Ｒ      固定爪
２１０            親機
２１１            制御部
２１２            記憶部
２１３            通信部
２１４            通信部
２１５            加速度センサ
２１６            温度センサ
２２０            子機
２２１ａ、ｂ・・  カメラａ、ｂ・・
２２２ａ、ｂ・・  ＬＥＤａ、ｂ・・
５０１            ランプ制御部
５０２            ランプ
７１１            制御部
７１２            記憶部
７１３            入出力部
７１４            通信部
７１５            通信部
７１６            通信部
【図１】
2005242915.tif 000003
【図２】
2005242915.tif 000004
【図３】
2005242915.tif 000005
【図４】
2005242915.tif 000006
【図５】
2005242915.tif 000007
【図６】
2005242915.tif 000008
【図７】
2005242915.tif 000009
【図８】
2005242915.tif 000010
【図９】
2005242915.tif 000011
【図１０】
2005242915.tif 000012
【図１１】
2005242915.tif 000013
【図１２】
2005242915.tif 000014